(57)【要約】【課題】  流体が連通状態の既設配管において、配管の流路途中を遮断状態にすべく、流路の壁面に対する弁手段の密着性を向上させる構成とすることである。【解決手段】  流体が連通状態の既設配管８０における流通途中を遮断してその下流側にて配管８０の修繕工事等を行うに際して使用される配管の流路遮断装置１であり、配管８０の周面８１に対して相対向する部位に流路８２内と配管外部８３との気密性が保持状態とされた第１及び第２の支持孔８４，８５を貫設し、第１の支持孔８４から流路８２内に挿填される可撓性の袋体１１ａからなる弁手段１１と、袋体１１ａ内部に装設され圧力流体の供給源に接続されて袋体１１ａ内部に圧力流体を供給して弁手段１１を膨張拡開させる圧力流体供給手段１２と、を備え、弁手段１１はその膨張拡開時に相対向する２箇所が第１及び第２の支持孔８４，８５内で支持された状態で流路８２内の壁面８２ｃに密着する。【選択図】        図１
0003108165.tif 000002
【実用新案登録請求の範囲】
【請求項１】
流体が連通状態にある既設配管において、該配管の流通途中を遮断して同遮断した下流側にて配管の修繕工事等を行うに際して使用される配管の流路遮断装置であって、
前記配管の周面に対して相対向する部位に前記流路内と配管外部との気密性が保持状態とされた第１及び第２の支持孔を貫設し、前記一方の支持孔から配管の流路内に挿填されて配置されかつ可撓性の袋体からなる弁手段と、該弁手段の袋体内部に装設されるとともに圧力流体の供給源に接続されて該弁手段の袋体内部に圧力流体を供給して弁手段を膨張拡開させる圧力流体供給手段と、を備え、
前記弁手段はその膨張拡開時に前記流路内の壁面に密着されるとともに、相対向する２箇所を前記第１及び第２の支持孔内で支持するように構成したことを特徴とする配管の流路遮断装置。
【請求項２】
請求項１に記載の配管の流路遮断装置であって、
前記圧力流体供給手段は一端部位が前記圧力流体の供給源に接続され供給された圧力流体を袋体内部に噴出するための噴出口を外周に有する中空棒状部材であり、該中空棒状部材は前記弁手段の相対向する２箇所位置にそれぞれ固着され、更に、該両端部位には前記第１又は第２の支持孔内にそれぞれ挿嵌可能な形状として形成された挿嵌部材が取り付けられた構成であることを特徴とする配管の流路遮断装置。
【請求項３】
請求項１又は請求項２に記載の配管の流路遮断装置であって、
前記配管の外周面には２つの接合管の一端側開口部位がそれぞれ前記第１又は第２の支持孔を密着包囲した状態として接合されており、これら接合管の他端側開口部位には内部流路を解除可能に遮断する開閉弁の一端側開口部位が流路の流通状態としてそれぞれ接合されており、
前記開閉弁の他端側開口部位は、該開閉弁の遮断操作及び解除操作を伴って、前記配管の流路内と配管外部との気密性を保持した状態で、前記第１及び第２の支持孔の穿孔を可能とする穿孔手段、及び前記弁手段の前記一方の支持孔から前記配管の流路内への挿填を可能とする弁手段挿填手段をそれぞれ着脱可能な密着状態として取付可能な取付面部位とされて構成されていることを特徴とする配管の流路遮断装置。
【考案の詳細な説明】
【技術分野】
【０００１】
本考案は、配管の流路遮断装置に関する。詳しくは、例えば既設配管を補修したり取替えたりする修繕工事の際に使用され、流体が連通状態とされた既設配管において、この配管用に配備された仕切り弁等の弁類を遮断状態とすることなく流路途中を遮断状態とすることができ、これにより下流側での配管の修繕工事を可能とする配管の流路遮断装置に関する。
【背景技術】
【０００２】
従来より、工場等の各種施設に配設された配管（既設配管）が長期の使用に伴って老朽化するなどした場合には、これを取り替えたり補修したりする修繕工事が行われている。詳しくは、上記修繕工事を行うに際しては、通常、流路を流通するガスや水等の流体が内圧によって外部へ噴出することを防止するために、配管の工事対象となる部位の上流側で上記流体の連通状態を遮断状態としておくことが必要となる。しかしながら、例えば、上記の遮断を既設配管に配備された仕切り弁等の弁類の閉鎖により行おうとすると、この弁類の下流側で配管が複数に分岐されているような配管構造である場合には、１つの配管の修繕工事を行うだけのために、分岐配管すべてに対する流体の連通状態が遮断されてしまうといった問題を生ずる。
そこで、上記した弁類を遮断状態とすることなく、配管の工事対象となる部位の上流側、すなわち、狙いとする部位で流路途中を遮断状態とすることのできる技術が後記特許文献１に開示されている。この開示によれば、既設配管の所定の周面部位に穿孔部が形成されており、この穿孔部から、流路を遮断するための弁手段たるバルーンが挿填可能とされている。詳しくは、バルーンは供給管を介して外部の加圧器（圧力流体供給手段）に接続されており、穿孔部から流路内部に挿填された状態で加圧されることにより膨張拡開する。これにより、膨張したバルーンが流路の壁面に密着し流路途中を遮断することができる。
【特許文献１】特開２００２−２０６６６７号公報
【考案の開示】
【考案が解決しようとする課題】
【０００３】
しかしながら、上記従来の技術では、流体が連通状態にある既設配管の内部で弁手段たるバルーンを膨張させる際に、バルーンを流路の壁面に充分に密着させることができない場合があった。
すなわち、収縮状態のバルーンを穿孔部から配管の流路内部に挿填すると、バルーンは、流路内部を流通する流体圧力によって、流路の下流側へ押し流される方向の作用力を受ける。詳しくは、バルーンは上記供給管との接続部によって片持状態とされており、加圧器によって加圧されると、自由端側が流路の下流側へ押し流されながら膨張することとなる。すなわち、流路内部において、バルーンが不安定に傾斜した姿勢で流路の壁面に接触してしまうこととなった。したがって、バルーンを壁面に充分に密着させることができず、流路を安定的に遮断状態とすることが困難であった。
【０００４】
本考案は、上記した問題を解決するものとして創案されたものであって、本考案が解決しようとする課題は、流体が連通状態の既設配管において、配管の流路途中を遮断状態にすべく、流路の壁面に対する弁手段の密着性を向上させる構成とすることである。
【課題を解決するための手段】
【０００５】
上記課題を解決するために、本考案の配管の流路遮断装置は次の手段をとる。
先ず、本考案の第１の考案は、流体が連通状態にある既設配管において、配管の流通途中を遮断して同遮断した下流側にて配管の修繕工事等を行うに際して使用される配管の流路遮断装置であって、配管の周面に対して相対向する部位に流路内と配管外部との気密性が保持状態とされた第１及び第２の支持孔を貫設し、一方の支持孔から配管の流路内に挿填されて配置されかつ可撓性の袋体からなる弁手段と、弁手段の袋体内部に装設されるとともに圧力流体の供給源に接続されて弁手段の袋体内部に圧力流体を供給して弁手段を膨張拡開させる圧力流体供給手段と、を備え、弁手段はその膨張拡開時に流路内の壁面に密着されるとともに、相対向する２箇所を第１及び第２の支持孔内で支持するように構成したものである。
ここで、「貫設」とは、貫通した状態で設けるという意味である。また、「挿填」とは、挿入して填めるという意味である。
この第１の考案によれば、弁手段は、配管の周面に対して相対向する部位に貫設された第１及び第２の支持孔のうちの一方から流路内に挿填され、相対向する２箇所が上記第１及び第２の支持孔内で支持された配置状態とされる。そして、弁手段は、圧力流体供給手段によって袋体の内部に圧力流体が供給されることにより、流路内で膨張拡開する。このとき、弁手段は、上記両端支持状態とされているため、配管の流路を流通する流体圧力の作用を受けても下流側に押し流されることがない。したがって、弁手段は、上記支持位置において膨張し、壁面に密着して配管の流路途中を遮断する。
【０００６】
次に、本考案の第２の考案は、上述した第１の考案において、圧力流体供給手段は一端部位が圧力流体の供給源に接続され供給された圧力流体を袋体内部に噴出するための噴出口を外周に有する中空棒状部材であり、中空棒状部材は弁手段の相対向する２箇所位置にそれぞれ固着され、更に、両端部位には第１又は第２の支持孔内にそれぞれ挿嵌可能な形状として形成された挿嵌部材が取り付けられた構成であるものである。
この第２の考案によれば、中空棒状部材が弁手段の袋体内部の相対向する２箇所位置に固着されることにより、この２箇所間に一定の支持剛性が付与されている。したがって、この支持剛性により、上記弁手段の相対向する２箇所が第１及び第２の支持孔内に挿入されて支持状態とされる。また、この挿入に伴って、第１及び第２の支持孔内には、中空棒状部材に取り付けられた挿嵌部材が挿嵌される。したがって、弁手段は、相対向する２箇所が第１及び第２の支持孔内で位置固定的に支持される。
【０００７】
次に、本考案の第３の考案は、上述した第１又は第２の考案において、配管の外周面には２つの接合管の一端側開口部位がそれぞれ第１又は第２の支持孔を密着包囲した状態として接合されており、これら接合管の他端側開口部位には内部流路を解除可能に遮断する開閉弁の一端側開口部位が流路の流通状態としてそれぞれ接合されており、開閉弁の他端側開口部位は、開閉弁の遮断操作及び解除操作を伴って、配管の流路内と配管外部との気密性を保持した状態で、第１及び第２の支持孔の穿孔を可能とする穿孔手段、及び弁手段の一方の支持孔から配管の流路内への挿填を可能とする弁手段挿填手段をそれぞれ着脱可能な密着状態として取付可能な取付面部位とされて構成されているものである。
ここで、開閉弁としては、仕切弁等の一般弁、及びボール弁等のものが挙げられる。
また、穿孔手段は、一般的な穿孔機として周知の構成を備えたものであるが、一例を挙げれば、第１及び第２の支持孔を穿孔するための切削構造部分が開口部位に対して出没自在な構成とされており、この開口部位が開閉弁の他端側開口部位に密着状態として取り付けられる構成のものである。
また、弁手段挿填手段としては、例えば、開口部位を有する袋状物や筒状物等の中空物が挙げられる。すなわち、中空内部に弁手段を内包した状態で、上記開口部位を開閉弁の他端側開口部位に密着状態として取り付ければ、気密性を保持した状態で弁手段が開口部位から流路内に挿填される。
この第３の考案によれば、開閉弁が遮断された状態では、第１及び第２の支持孔による配管の流路内と配管外部との気密性が保持された状態となる。したがって、穿孔手段が開閉弁の他端側開口部位に着脱可能な密着状態として取り付けられた状態では、開閉弁を解除操作（開放）することにより、上記気密性を保持した状態で第１及び第２の支持孔を穿孔することが可能となる。また、同様に、弁手段挿填手段が開閉弁の他端側開口部位に着脱可能な密着状態として取り付けられた状態では、開閉弁を解除操作することにより、上記気密性を保持した状態で弁手段を一方の支持孔から配管の流路内に挿填することが可能となる。
【考案の効果】
【０００８】
本考案は上述した手段をとることにより、次の効果を得ることができる。
先ず、本考案の第１の考案によれば、弁手段を、流路内部の狙いとする位置で、狙いとする姿勢状態で、膨張拡開させることができる。したがって、弁手段の流路内壁面に対する密着性の向上を図ることができる。これにより、配管の流路途中を良好な遮断状態とすることができる。
更に、本考案の第２の考案によれば、弁手段に装設された中空棒状部材を一方の支持孔から他方の支持孔内に向けて挿入する、という簡単な操作によって、弁手段を流路内部に挿填して狙いとする姿勢状態として支持させることができる。また、上記それぞれの支持孔内に挿入された中空棒状部材は、挿嵌部材によって支持孔内で位置固定されるため、上記弁手段の姿勢状態を安定化することができる。
更に、本考案の第３の考案によれば、配管の流路内と配管外部との気密性を保持した状態で、第１及び第２の支持孔を貫設し、この一方の支持孔から弁手段を流路内に挿填することが良好に行える。
【考案を実施するための最良の形態】
【０００９】
以下に、本考案を実施するための最良の形態の実施例について、図面を用いて説明する。
図１〜図８は、本実施例の配管の流路遮断装置１について説明するものである。図１は本実施例の配管の流路遮断装置１の概略構造を既設配管８０の断面方向から示した図、図２は図１を平面視して示した図、図３は遮断器具１０の構成を示した図、図４は既設配管８０に第１の接合管３０、第２の接合管４０、第１の仕切弁５０、及び第２の仕切弁６０が接合された状態を示した図、図５は図４の状態で穿孔機７０を取り付けた状態を示した図、図６は遮断器具１０及び挿填器具２０を取り付けた状態を示した図、図７は遮断器具１０を流路８２内に挿填した状態を示した図、図８は既設配管８０の流路８２の途中を遮断した状態を示した図である。
【００１０】
始めに、本実施例の配管の流路遮断装置１（以下、遮断装置１とする。）の概略構成について説明する。遮断装置１は、図１、図２、及び図８に良く示されるように、ガス等の流体が連通状態にある既設配管８０（以下、配管８０とする。）において、この配管８０の流路８２の途中を遮断する（図８中の上流側８２ａと下流側８２ｂとを遮断状態にする。）ことにより、同遮断した下流側８２ｂにて配管８０の修繕工事等を行うことを可能とするものである。ここで、遮断装置１によって配管８０の流路８２を遮断する手順を大まかに述べると次のようになる。すなわち、先ず、配管８０の周面８１に対して、流路８２を遮断する遮断器具１０を取り付けるための各取付部材を取り付ける。更に、同周面８１に対して、遮断器具１０を流路８２内に挿填するための孔を貫設する。そして、この孔から、遮断器具１０を流路８２に挿填して、流路８２を遮断するというものである。この際、配管８０の流路８２の遮断は、常に、外部８３に対する気密性が保持された状態として行われる。
具体的には、遮断装置１は次のような構成とされている。すなわち、配管８０の流路８２の途中を遮断するための弁手段１１を有する遮断器具１０と、この遮断器具１０を流路８２内に挿填する際に流路８２内と外部８３との気密性を保持する挿填器具２０とが、第１の接合管３０及びこの第１の接合管３０に接合された第１の仕切弁５０を介して配管８０の周面８１に取り付けられた構成とされている。また、図１に良く示されるように、配管８０の上記第１の接合管３０が接合された部位に相対向する周面８１の部位には第２の接合管４０が接合されており、この第２の接合管４０には第２の仕切弁６０が接合されている。そして、配管８０の上記第１の接合管３０及び第２の接合管４０が接合された部位には、後述する穿孔機７０（図５参照）によって、第１の支持孔８４及び第２の支持孔８５が、それぞれ流路８２内と外部８３との気密性が保持された状態として穿孔されている。
ここで、挿填器具２０が本考案の弁手段挿填手段に相当し、第１の仕切弁５０及び第２の仕切弁６０がそれぞれ第１の開閉弁及び第２の開閉弁に相当し、穿孔機７０が本考案の穿孔手段に相当する。
【００１１】
次に、上記各構成を詳細に説明する。
先ず、遮断器具１０は、図３に良く示されるように、可撓性の袋体１１ａからなる弁手段１１と、この弁手段１１の袋体１１ａ内部に装設されるとともに逆止弁１３及びコック１４を介して図示しない圧力供給源に接続された圧力流体供給手段１２と、を有して構成されている。弁手段１１の袋体１１ａは、相対向する上下に上側開口部１１ｂと下側開口部１１ｃとを有し、これら開口部がそれぞれに束ねられて袋状を形成している。なお、袋体１１ａは、一般的なエアバッグ等で使用されるナイロン系の布地にシリコンゴム等のコーティング剤により表面コーティングが施されて構成されている。
また、圧力流体供給手段１２は、中空棒形状の支持管１２ａが上記袋体１１ａの上側開口部１１ｂと下側開口部１１ｃとに貫通状態で装設された構成とされている。そして、袋体１１ａの上側開口部１１ｂが支持管１２ａのほぼ中央部位１２ｂに束ねた状態で締結され、下側開口部１１ｃが支持管１２ａの他端部位１２ｃに束ねた状態で締結されている。また、支持管１２ａには、上記ほぼ中央部位１２ｂから内部を流通して供給される圧力流体を袋体１１ａの内部に噴出するための噴出口１２ｄが袋体１１ａ内部となる位置に複数形成されている。ここで、支持管１２ａが本考案の中空棒状部材に相当する。なお、袋体１１ａに供給される圧力流体としては、例えば、不活性ガス等の気体や水等の液体が挙げられるが、液体を用いれば、同時に袋体１１ａに重量を与えて安定性を向上させることができるため、好ましい。
また、上記弁手段１１のそれぞれの締結部分には、挿嵌部材１７，１８が取り付けられている。詳しくは、挿嵌部材１７は第１の支持孔８４の内径と略同一の大きさ形状として形成されており、挿嵌部材１８は第２の支持孔８５の内径と略同一の大きさ形状として形成されている。したがって、図１に示すように、弁手段１１を流路８２内に挿填するのに伴って、挿嵌部材１８が第２の支持孔８５に嵌合し、挿嵌部材１７が第１の支持孔８４に嵌合する。これにより、弁手段１１の相対向する２箇所が、第１の支持孔８４及び第２の支持孔８５内で位置固定的に支持された状態となる。
また、支持管１２ａの上記弁手段１１から上方（図３の紙面内上方向）に延長された部分は、保護管１５によってカバーされている。そして、保護管１５の上端部位には、後述する挿填器具２０の伸縮管２１の取付面部位２１ａに取付可能な被取付面部位１６がフランジ状に張り出した形状として一体的に設けられている。
【００１２】
次いで、挿填器具２０は、図６及び図７に良く示されるように、長さ方向に伸縮可能に形成された伸縮管２１と、この伸縮管２１の伸縮移動をガイドする伸縮ガイド２２と、を有して構成されている。詳しくは、伸縮管２１は上端（図６及び図７の紙面内上方向）の開口部位が上記遮断器具１０の被取付面部位１６を取付可能な取付面部位２１ａとして形成されており、下端（図６及び図７の紙面内下方向）の開口部位が取付面部位として形成された第１の仕切弁５０の一端側開口部位５１に取付可能な被取付面部位２１ｂとして形成されている。また、伸縮管２１は、図６に良く示されるように、伸張した状態で遮断器具１０の弁手段１１を内部に収納可能な長さ形状を有しており、遮断器具１０を挿填器具２０に取り付けた状態では、弁手段１１が第１の仕切弁５０内に干渉することはない。なお、上記取付面部位２１ａ及び被取付面部位２１ｂは、それぞれ着脱可能な密着状態として取り付けられる。
【００１３】
次いで、第１の接合管３０は、図４に良く示されるように、一端側開口部位３１が配管８０の周面８１に溶接によって密着状態として固着されている。更に、他端側開口部位３２には、第１の仕切弁５０の一端側開口部位５１が密着状態として接合されている。したがって、この第１の仕切弁５０によって、連通状態の第１の仕切弁５０の流路５３と第１の接合管３０の流路３３との連通状態を遮断状態とすることができる。
また、図４に良く示されるように、配管８０の上記第１の接合管３０が固着された部位に相対向する周面８１の部位には、第２の接合管４０の一端側開口部位４１が固着されている。この第２の接合管４０は、後述する第２の支持孔８５に対応すべく必要な分の大きさとして、第１の接合管３０よりも若干小さな大きさ形状として構成されている。そして、この第２の接合管４０の他端側開口部位４２には、第２の仕切弁６０（同様に第１の仕切弁５０よりも若干小さな大きさ形状として構成されている。）の一端側開口部位６１が接合されている。したがって、この第２の仕切弁６０によっても、第２の仕切弁６０の流路６３と第２の接合管４０の流路４３との連通状態を遮断状態にすることができる。ここで、第１の仕切弁５０及び第２の仕切弁６０は、一般的なゲート弁として周知の構成であるため、詳細な説明は省略する。
なお、第１の接合管３０及び第２の接合管４０の外周縁には補強リブ３４，４４が設けられている。
【００１４】
次いで、配管８０の第１の支持孔８４及び第２の支持孔８５は、流路８２内と外部８３との気密性が保持された状態として貫設されている。この貫設方法については、遮断装置１の使用方法とともに後述する。
【００１５】
続いて、本実施例の遮断装置１についての使用方法を説明する。
先ず、図４に良く示されるように、流体が連通状態にある配管８０の流路８２の途中を遮断しようとする狙いの位置において、周面８１に対して相対向する部位に第１の接合管３０と第２の接合管４０とをそれぞれ溶接により固着し、これら接合管の外周縁に補強リブ３４，４４を設ける。そして、第１の接合管３０の他端側開口部位３２に第１の仕切弁５０を接合し、第２の接合管４０の他端側開口部位４２に第２の仕切弁６０を接合する。この状態では、第１の仕切弁５０の流路５３と第１の接合管３０の流路３３とが連通状態とされ、上記第１の仕切弁５０を閉鎖することにより、これら流路５３，３３を外部８３に対して気密状態とすることができる。なお、第２の仕切弁６０及び第２の接合管４０についても、同様に流路６３，４３が連通状態とされ、第２の仕切弁６０によって、これら流路６３，４３が気密状態とされる。
次に、図５に良く示されるように、取付面部位として形成された第１の仕切弁５０の他端側開口部位５２に穿孔機７０を着脱可能な密着状態として取り付ける。ここで、穿孔機７０は、第１の支持孔８４を穿孔可能な切刃等の切削構造部分７１が開口部位（上記第１の仕切弁５０の他端側開口部位５２に取り付けられた状態）に対して出没自在な構成とされている。なお、穿孔機７０の構成は、周知のものであるため、詳細な説明は省略する。そして、第１の仕切弁５０を開放（解除操作）した状態で、穿孔機７０を稼動させる。これにより、穿孔機７０の切削構造部分７１が流路５３内と流路３３内とを通って配管８０の周面８１を切削し、この周面８１に第１の支持孔８４を穿孔する。このとき、穿孔機７０の開口部位及び第１の仕切弁５０は密着状態とされているため、流路８２内と外部８３との気密性が保持された状態とされる。そして、切削構造部分７１を穿孔機７０に収容して第１の仕切弁５０を閉鎖（遮断操作）することにより、流路８２内と外部８３との気密性が保持された状態として第１の支持孔８４が貫設される。なお、上記切削構造部分７１は、切削したスクラップを内部に抱え込んで移送する構成とされているため、スクラップが配管８０内に残存することはない。その後に穿孔機７０を第１の仕切弁５０から取り外す。なお、第２の支持孔８５についても、上記第１の支持孔８４を貫設する場合と同様にして貫設することができる。すなわち、取付面部位として形成された第２の仕切弁６０の他端側開口部位６２に穿孔機７０を着脱可能な密着状態として取り付け、周面８１に第２の支持孔８５を気密性を保持した状態として貫設すればよい。
【００１６】
次に、図６に良く示されるように、第１の仕切弁５０の他端側開口部位５２に挿填器具２０を密着状態として取り付ける。そして、伸張した状態の伸縮管２１の上端開口部位から遮断器具１０の弁手段１１を挿入し、遮断器具１０の被取付面部位１６を挿填器具２０の取付面部位２１ａに密着状態として取り付ける。これにより、伸縮管２１の内部に弁手段１１を収納した状態で、内部空間を外部８３に対して気密状態とすることができる。
次に、図７に良く示されるように、第１の仕切弁５０を開放し、伸縮管２１を収縮させるように操作して、弁手段１１の袋体１１ａを配管８０の流路８２内に挿填する。詳しくは、袋体１１ａの内部に装設された支持管１２ａの他端部位１２ｃを、第１の支持孔８４内から第２の支持孔８５内に向けて挿入するようにする。すると、支持管１２ａの他端部位１２ｃに取り付けられた挿嵌部材１８が第２の支持孔８５に挿嵌される。また、同時に、挿嵌部材１７が第１の支持孔８４に挿嵌される。これにより、弁手段１１の相対向する２箇所が第１の支持孔８４及び第２の支持孔８５によって支持された状態となる。
次に、コック１４を開放して、圧力供給源から弁手段１１の袋体１１ａ内部に対し圧力流体を供給する。すると、供給された圧力流体は、支持管１２ａのほぼ中央部位１２ｂから導入され、複数の噴出口１２ｄから袋体１１ａ内部に噴出される。これにより、図１及び図８に良く示されるように、弁手段１１が流路８２内で膨張拡開し、流路８２内の壁面８２ｃに密着する。詳しくは、弁手段１１は相対向する２箇所が第１の支持孔８４及び第２の支持孔８５に位置固定的に支持されているため、配管８０の流路８２を流通する流体圧力の作用を受けても下流側８２ｂに押し流されることがない。したがって、弁手段１１が位置固定された状態で膨張し、図８に良く示されるように、流路８２の途中の上流側８２ａと下流側８２ｂとを遮断状態とする。なお、弁手段１１は、上流側８２ａからの流体圧力の影響を受けることにより、中央近傍の部位が窪んだ状態として膨張する。
以上のようにして、流体が連通状態にある配管８０の流路８２の途中を遮断状態とすることができる。これにより、遮断された部位の下流側８２ｂにおいて、老朽化した部位を補修したり取替えたりする修繕工事を行うことが可能な状態とされる。なお、工事が終了した後に、再び流体を連通状態にするには、弁手段１１内の圧力流体を抜いて収縮させれば良い。また、この状態で、伸縮管２１を伸張状態として弁手段１１を流路８２から引き抜き、図６に示されるように第１の仕切弁５０を閉鎖すれば、流路８２内と外部８３との気密性を保持した状態のまま遮断器具１０及び挿填器具２０を取り外すことができる。
【００１７】
このように、本実施例の配管の流路遮断装置１によれば、既設配管８０の流路８２内に弁手段１１を挿填して膨張拡開させるに際し、この弁手段１１の相対向する２箇所を第１の支持孔８４及び第２の支持孔８５によって支持させることができる。これにより、弁手段１１を狙いとする姿勢状態で膨張拡開させることができる。したがって、流路８２の壁面８２ｃに対する弁手段１１の密着性を向上させ、配管８０の流路８２の途中を良好に遮断状態とすることができる。
更に、弁手段１１には中空棒状部材たる支持管１２ａが内部に装設されている。したがって、この支持管１２ａの他端部位１２ｃを第１の支持孔８４から第２の支持孔８５に向けて挿入するのみの簡単な操作で、弁手段１１を流路８２内に挿填して両端支持状態（狙いとする姿勢状態）とすることができる。また、上記支持管１２ａには挿嵌部材１７，１８が取り付けられており、支持管１２ａの挿入に伴って、第１の支持孔８４又は第２の支持孔８５にそれぞれ挿嵌されるため、弁手段１１の狙いとする姿勢状態を安定化することができる。
更に、流路８２内と外部８３との気密性を保持した状態で、第１の支持孔８４及び第２の支持孔８５を貫設し、第１の支持孔８４から弁手段１１を流路８２内に挿填することが良好に行える。
【００１８】
以上、本考案の実施形態を１つの実施例について説明したが、本考案は上記実施例のほか各種の形態で実施できるものである。
例えば、本実施例において第１の開閉弁に相当するものとして仕切弁を適用したものを示したが、ボール弁等のものを用いたものであっても良い。
また、第１の支持孔８４及び第２の支持孔８５の貫設位置を、配管８０の周面８１に対して相対向する上下部位としたものを示したが、上下を逆にした配置や左右の配置としたものであっても構わない。
また、本考案の弁手段挿填手段の構成として、長さ方向に伸縮可能な伸縮管を用いた挿填器具を示したが、このような筒形状のものに限定されることなく、例えば可撓性のある袋状物を用いたものであってもよい。すなわち、気密性を保持した状態で袋状物の中空内部に弁手段を内包するようにしたものである。
【図面の簡単な説明】
【００１９】
【図１】本実施例の配管の流路遮断装置の概略構造を既設配管の断面方向から示した図である。
【図２】図１を平面視して示した図である。
【図３】遮断器具の構成を示した図である。
【図４】既設配管に第１の接合管、第２の接合管、第１の仕切弁、及び第２の仕切弁が接合された状態を示した図である。
【図５】図４の状態で穿孔機を取り付けた状態を示した図である。
【図６】遮断器具及び挿填器具を取り付けた状態を示した図である。
【図７】遮断器具を流路内に挿填した状態を示した図である。
【図８】既設配管の流路途中を遮断した状態を示した図である。
【符号の説明】
【００２０】
１    配管の流路遮断装置
１０    遮断器具
１１    弁手段
１１ａ  袋体
１１ｂ  上側開口部
１１ｃ  下側開口部
１２    圧力流体供給手段
１２ａ  支持管（中空棒状部材）
１２ｂ  ほぼ中央部位
１２ｃ  他端部位
１２ｄ  噴出口
１３    逆止弁
１４    コック
１５    保護管
１６    被取付面部位
１７，１８    挿嵌部材
２０    挿填器具（弁手段挿填手段）
２１    伸縮管
２１ａ  取付面部位
２１ｂ  被取付面部位
２２    伸縮ガイド
３０    第１の接合管
３１    一端側開口部位
３２    他端側開口部位
３３    流路
３４    補強リブ
４０    第２の接合管
４１    一端側開口部位
４２    他端側開口部位
４３    流路
４４    補強リブ
５０    第１の仕切弁（第１の開閉弁）
５１    一端側開口部位
５２    他端側開口部位
５３    流路
６０    第２の仕切弁（第２の開閉弁）
６１    一端側開口部位
６２    他端側開口部位
６３    流路
７０    穿孔機（穿孔手段）
７１    切削構造部分
８０    既設配管
８１    周面
８２    流路
８２ａ  上流側
８２ｂ  下流側
８２ｃ  壁面
８３    外部
８４    第１の支持孔
８５    第２の支持孔
【図１】
0003108165.tif 000003
【図２】
0003108165.tif 000004
【図３】
0003108165.tif 000005
【図４】
0003108165.tif 000006
【図５】
0003108165.tif 000007
【図６】
0003108165.tif 000008
【図７】
0003108165.tif 000009
【図８】
0003108165.tif 000010